(57)【要約】      （修正有）【課題】大きな柄を分解して何枚かの畳に割付けそれを再構成して模様を再現し、半畳サイズだけでなく、１畳の通常サイズでも使用できるので、部屋全体に大きな１枚柄を作り出すことが出来る。また、無地畳と柄畳という２面性のある大広間の設定ができる。さらに柄を変えることで四季に応じた演出をする。【解決手段】一枚の畳表の織上げ工程の中に、任意の寸法範囲に設定した任意の柄と余白部分を交互に織込み、畳床に張付ける場合の縫い代を余白部分に吸収させ同様に織り上げられた数種類の任意の柄を畳に仕上げる。置畳としては４枚、６枚などという単位において、また通常の畳としては３畳、６畳などの部屋単位において１枚の模様に完成する置畳あるいは畳と、それに使用する柄入りの畳表の柄構成を完成させたものである。【選択図】図１
0003114058.tif 000002
【実用新案登録請求の範囲】
【請求項１】
柄織りのイグサ花ゴザ織機にてイグサあるいはそれに準ずる材料を使用し、巾寸法３０〜９５ｃｍ、長さ寸法３０〜１９５ｃｍをひとつの柄サイズとする任意の柄と、巾寸法３０〜９５ｃｍ、長さ寸法１０〜２０ｃｍの余白部分を長さ方向に交互に配置しながら織り上げ、その畳表の任意の柄部分を半畳〜１畳サイズの畳床に張付けた畳
【請求項２】
請求項１記載の任意の柄と同サイズか又は別サイズで、同様に織られた別の柄ないしその他のいくつかの別の柄を使用して製作した畳を敷き合わせて数枚単位あるいは、部屋単位でひとつの大きな柄を表現できる請求項１の畳
【請求項３】
通常の薄畳と表裏に張合わせ裏返すことにより柄の変化を表現できる請求項１の畳
【考案の詳細な説明】
【考案の詳細な説明】
【技術分野】
【０００１】本考案は、畳、置畳やリバーシブル畳の柄構成方法に関する。
【背景技術】
【０００２】置畳は一般的に半畳のサイズで、通常の畳と同様に無地の畳表を表面に張ってあるか、又は柄の入ったものであっても、総柄あるいは連続柄のものであり、半畳１枚で柄は完結しているものである。
また、旅館や宴会場で使われるいわゆるリバーシブル畳と呼ばれるものも、無地の畳表と絨毯を表裏に組み合わせるものが一般的である。
【考案の開示】
【考案が解決しようとする課題】
【０００３】しかしながら畳だから無地であるという既成概念のため、柄のある敷物といえば絨毯やアクセントラグと呼ばれる、畳以外の１枚物の大きな敷物が使われることが多い。通常の畳床を使用した畳において柄を楽しみたい場合は単純な柄の繰り返しである既製の花ゴザを使う方法しかない。さらに既存の柄入り花ゴザを畳床に張付けて柄入りの畳を作成する場合、畳床の両端部分に巻き込んで縫着する為の縫い代を必要とするため、連続した柄を畳床に張付けると縫い代分の柄が不足してしまうため必要な柄枚数の２倍の柄部分を用意しなければならない。本考案は畳敷きの既成概念を打ち破り、必要以上の無駄な材料を使用せずに柄入りの畳を提供するものである。
【課題を解決する為の手段】
【０００４】図１図２図３に示すように本考案では柄織りのイグサ花ゴザ織機にてイグサあるいはそれに準ずる畳表１を使用し、寸法範囲７の範囲内に巾寸法３０〜９５ｃｍ、長さ寸法３０〜１９５ｃｍをひとつの柄サイズとする模様２と、巾寸法３０〜９５ｃｍ、長さ寸法１０〜２０ｃｍの余白部分１２を長さ方向に交互に配置しながら織り上げ、その畳表の寸法範囲７部分を半畳ないし１畳サイズの畳床に張付けた畳を製作する。
【０００５】同様に様々な模様３、４、５、６をほぼ同一サイズで織り上げ、それぞれを畳床に張付けた上で各模様を組み合わせて図４、図５、図６、図７のような、ひとつの大きな柄を表現する。
【０００６】本考案は置畳として通常使用する場合は４枚、６枚、９枚などという単位において、また通常の畳として使用する場合は３畳、６畳、８畳などの部屋単位において１枚の模様に完成する置畳、畳あるいはリバーシブル畳と、それに使用する柄入りの畳表の柄構成を完成させたものである。
【０００７】本考案でいう畳表は、天然イグサ製でもその他の素材を使用したものでもよく、畳床も薄畳に仕上げた場合に強度が保たれるものであれば、どのような素材、構成でもよい。また、柄や意匠については、他の意匠権、著作権を侵害せず、単純な柄の繰返しでなければよい。図１から図７において示した模様は例として単純化して示した柄であり、実際にはより多くの枚数を使用して様々な柄の組合せにより多彩な柄表現が可能となる
【考案を実施する為の最良の形態】
【０００８】一枚の畳表の織り上げ工程の中に、任意の寸法範囲に設定した任意の柄と余白部分を交互に織込み、畳床に張付ける場合の縫い代を余白部分に吸収させることで無駄なく柄を織込む。同様に織り上げられた数種類の任意の柄を畳床に張付けて畳に仕上げる。
【０００９】半畳サイズの畳を組み合わせた場合、図４の４枚組では角部だけ、図６の６枚組では角部４枚とフチ部２枚、図５の９枚組では角部４枚とフチ部４枚と中心部１枚の計９枚となる。また同じ９枚組みでも図７のように中心部６を含む柄に代わって無地部１を組み込むことで違った雰囲気を創り出せる。それ以上の枚数の組合せの場合でもそれぞれ角部、フチ部、中心部に無地部をあわせて、それぞれの枚数を変えることで対応できる。また、柄織りした畳表は、製法上裏面も逆転色で使用できるため、組合せで色の変化を付け加えることも出来る。
【考案の効果】
【００１０】従前の既成概念で和室、畳敷きの部屋の畳は無地あるいは、連続柄しか出来ないと思い込まれてきたが、大きな柄を分解して何枚かの畳に割付けそれを再構成して模様を再現するという本考案は半畳サイズだけでなく、１畳の通常サイズでも使用できるので、旅館・宴会場の大広間などに利用することで、部屋全体に大きな１枚柄を作り出すことが出来る。また、いわゆるリバーシブル畳の裏面に絨毯でなく、本考案を使用することで、無地畳と柄畳という２面性のある大広間の設定ができる。さらに柄を変えることで四季に応じた演出をすることが出来る。
【図面の簡単な説明】
【００１１】
【図１】イグサ織機にて寸法範囲７の中に模様２、模様３を織り込みさらに各模様と模様の間に空白部１２の織り込みをしていることを表したものである。寸法範囲７の大きさは実際に畳に仕上げたときにその１枚のサイズとなる大きさである。
【図２】図１と同様であるが模様４、模様５のように図１とは別の模様を織込んでいる
【図３】図１図２と同様であるが、模様６のように図１図２とは別の柄を織込んでいる
【図４】図１にて織り上げた畳表を畳床に張付けて仕上げた半畳サイズの畳を使用して４枚組みで１枚の柄を表現した畳の敷き方である。
【図５】図４にて使用した４枚の畳に図２図３にて織り上げた畳表を畳床に張付けて仕上げた半畳サイズの畳を追加して合計９枚組みで１枚の柄を表現した畳の敷き方である。
【図６】図４にて使用した４枚の畳に図５にて使用したうちの２枚の畳を追加して合計６枚組みで１枚の柄を表現した畳の敷き方である。
【図７】図５にて組み合わせた９枚組みの畳の敷き方のうち、真中の１枚を無地の畳に置き換えてみて、図５との対比で組合せの変化を表した畳の敷き方である。
【符号の説明】
【００１２】１  畳表の無地部分あるいは、下記の柄の基本色となる部分である
２  畳表に織込んだ柄の部分。本例では左上角部分に使用する。
３  畳表に織込んだ柄の部分。本例では右上角部分に使用する。
４  畳表に織込んだ柄の部分。本例では上縁部分に使用する。
５  畳表に織込んだ柄の部分。本例では左縁部分に使用する。
６  畳表に織込んだ柄の部分。本例では中央部分に使用する。
７  畳に仕上げた場合に１枚の仕上がりサイズとなる大きさを想定した範囲
８  上記２の柄を１８０度回転させて右下角部分に使用している
９  上記３の柄を１８０度回転させて左下角部分に使用している
１０  上記５の柄を１８０度回転させて右縁部分に使用している
１１  上記４の柄を１８０度回転させて下縁部分に使用している
１２  畳表を織り上げるときに上記柄部分と別の柄部分の間に織込む空白部分
【図１】
0003114058.tif 000003
【図２】
0003114058.tif 000004
【図３】
0003114058.tif 000005
【図４】
0003114058.tif 000006
【図５】
0003114058.tif 000007
【図６】
0003114058.tif 000008
【図７】
0003114058.tif 000009